(57)【要約】      （修正有）【課題】コンパクトかつ吸引性能に優れた空気路切換機構を有する電気掃除機を提供する。【解決手段】掃除機本体は、吸引ホース部が接続され吸込んだ空気から塵埃を分離して集塵する集塵ユニットと、吸引ホース部から集塵ユニットを介して空気を吸引する電動送風機とを備え、吸引ホース部は、使用者が持つ手元ハンドルが設けられた手元ハンドル管と、手元ハンドル管に着脱可能に接続されアタッチメントノズル３２０を支持するノズル支持部３２０ｈと、ノズル支持部３２０ｈに着脱可能に接続される延長パイプとを備え、ノズル支持部３０２ｈは、延長パイプから吸引された空気の経路である第１の経路とアタッチメントノズル３２０から吸引された空気の経路である第２の経路とを連通させるノズル支持部内経路３２０ｈｆと、延長パイプを接続したとき第２の経路を閉鎖し、延長パイプを取り外したとき第１の経路を閉鎖する空気路切換部とを備える。【選択図】図２３
2014136016.tif 000002
【特許請求の範囲】
【請求項１】
吸引ホース部および掃除機本体を備え、前記掃除機本体は、前記吸引ホース部が接続され吸込んだ空気から塵埃を分離して集塵する集塵ユニットと、前記吸引ホース部から前記集塵ユニットを介して空気を吸引する電動送風機とを備え、
前記吸引ホース部は、使用者が持つ手元ハンドルが設けられた手元ハンドル管と、前記手元ハンドル管に着脱可能に接続されアタッチメントノズルを支持するノズル支持部と、前記ノズル支持部に着脱可能に接続される延長パイプとを備え、
前記ノズル支持部は、前記延長パイプから吸引された空気の経路である第１の経路と前記アタッチメントノズルから吸引された空気の経路である第２の経路とを連通させるノズル支持部内経路と、前記延長パイプを接続したとき前記第２の経路を閉鎖し、前記延長パイプを取り外したとき前記第１の経路を閉鎖する空気路切換部とを備え、
前記空気路切換部は、前記ノズル支持部内経路に対して傾斜した面をもって前記第１の経路を閉鎖することを特徴とする電気掃除機。
【請求項２】
前記空気路切換部は、ヒンジおよび前記ヒンジを中心に回転する回転弁からなり、前記ヒンジは空気の流れの上流側に、前記回転弁は下流側に設けられ、前記第１の経路を閉鎖したとき、前記アタッチメントノズルから吸引される空気の流れによって前記第１の経路を閉鎖する風圧を受けるべく傾斜した面を有するように構成された請求項１に記載の電気掃除機。
【請求項３】
前記ノズル支持部は、前記第１の経路を閉鎖する方向に前記回転弁を付勢する弾性部材と、前記ノズル支持部内経路の内側を摺動する第１連動レバーと、
前記回転弁に固定され前記第１連動レバーと係合する第２連動レバーとを備え、
前記第１連動レバーは、前記ノズル支持部内経路の内側を摺動する方向に付勢する力を、前記回転弁が開閉する方向に付勢する力に変換する構造を有する請求項２に記載の電気掃除機。
【請求項４】
前記延長パイプは、前記ノズル支持部に接続したとき、その端部が前記回転弁に接触せず、かつ、前記第１連動レバーを前記ノズル支持部内経路の内側を摺動させるべく構成された突起部を備える請求項３に記載の電気掃除機。
【発明の詳細な説明】
【技術分野】
【０００１】
この発明は電気掃除機に関する。
【背景技術】
【０００２】
従来、吸引ホースと、吸引ホースに接続されアタッチメントノズルを支持するノズル支持部と、延長パイプとを備え、前記ノズル支持部が延長パイプから吸引ホースに至る空気の経路、またはアタッチメントノズルから吸引ホースに至る空気の経路の一方を開放し、他方を閉鎖する空気路切換弁を有する電気掃除機が知られている（例えば、特許文献１および２参照）。
【０００３】
また、このような空気路切換弁の切換機構として、例えば、延長パイプをノズル支持部に接続すると延長パイプから空気を吸引し、延長パイプを取り外すとアタッチメントノズルから空気を吸引するように構成されたものも知られている（例えば、特許文献３参照）。
【先行技術文献】
【特許文献】
【０００４】
【特許文献１】実開平５−５１２３１号公報
【特許文献２】実開平６−６８６５８号公報
【特許文献３】特開２００８−２２９５０号公報
【発明の概要】
【発明が解決しようとする課題】
【０００５】
近年、掃除機本体の小型軽量化、コンパクト化の流れが注目を集めているが、さらに、女性や高齢者の利便性を高めるべく、掃除機本体だけでなく吸引ホースや延長パイプ等についても軽量化やコンパクト化を図る試みがなされている。例えば、掃除機本体を持ったままでも掃除が容易にできるように延長パイプ等の使い勝手を改善し、また、移動の際にも家具等への引っかかりが少なく、持ち運びに便利で扱い易い掃除機が求められている。
【０００６】
ところで、上述のようなノズル支持部のコンパクト化を図る試みとしては、例えば、アタッチメントノズルを延長パイプと並列に配置してアタッチメントノズルとアタッチメント接続部との間に連通口を設け、空気路切換弁を９０°回動させて当該連通口または延長パイプへ通ずる接続口のいずれか一方を選択的に閉鎖する構成が知られている（例えば、特許文献１の図８および図１０、特許文献３の図６および図７を参照）。
【０００７】
しかしながら、アタッチメントノズルと延長パイプとを並列に配置した場合、アタッチメントノズルからアタッチメント接続部に至る空気路は、直角に折れ曲がった経路を有するため、吸引抵抗が高くなって電動送風機に必要以上の負荷を生じ、吸引性能の低下につながるおそれがあった。一方、吸引抵抗を重視して空気が流れる経路をなめらかにしようとすると、特許文献１のようにアタッチメントノズルと延長パイプとが斜めに分岐した構成にするか、あるいは、特許文献２のように可撓性のホースを接続した構成にすることなどが考えられるが、このような構成は、手元がかさばって使い難いだけでなく、移動の際に家具等にひっかかり易くなるため問題となる。それゆえ、吸引性能を維持しつつコンパクト性を両立させるのは困難であった。
【０００８】
この発明は、このような事情を考慮してなされたもので、コンパクトかつ吸引性能に優れた空気路切換機構を有する電気掃除機を提供するものである。
【課題を解決するための手段】
【０００９】
この発明は、吸引ホース部および掃除機本体を備え、前記掃除機本体は、前記吸引ホース部が接続され吸込んだ空気から塵埃を分離して集塵する集塵ユニットと、前記吸引ホース部から前記集塵ユニットを介して空気を吸引する電動送風機とを備え、前記吸引ホース部は、使用者が持つ手元ハンドルが設けられた手元ハンドル管と、前記手元ハンドル管に着脱可能に接続されアタッチメントノズルを支持するノズル支持部と、前記ノズル支持部に着脱可能に接続される延長パイプとを備え、前記ノズル支持部は、前記延長パイプから吸引された空気の経路である第１の経路と前記アタッチメントノズルから吸引された空気の経路である第２の経路とを連通させるノズル支持部内経路と、前記延長パイプを接続したとき前記第２の経路を閉鎖し、前記延長パイプを取り外したとき前記第１の経路を閉鎖する空気路切換部とを備え、前記空気路切換部は、前記ノズル支持部内経路に対して傾斜した面をもって前記第１の経路を閉鎖することを特徴とする電気掃除機を提供するものである。
【発明の効果】
【００１０】
この発明によれば、前記空気路切換部は、前記ノズル支持部内経路に対して傾斜した面をもって前記第１の経路を閉鎖するので、空気の流れに対する吸引抵抗を低減し、かつ、ノズル支持部をコンパクトな構造にすることができるため、コンパクトかつ吸引性能に優れた空気路切換機構を有する電気掃除機を実現できる。
【図面の簡単な説明】
【００１１】
【図１】この発明の実施形態に係る電気掃除機の外観斜視図である。
【図２】図１に示す電気掃除機の掃除機本体の上面図である。
【図３】図１に示す電気掃除機の掃除機本体の側面図である。
【図４】図２に示す掃除機本体の要部分解斜視図である。
【図５】図２に示す掃除機本体の要部分解斜視図である。
【図６】図２に示す掃除機本体の要部分解斜視図である。
【図７】図２に示す掃除機本体の要部分解斜視図である。
【図８】図２のＡ−Ａ矢視断面図である。
【図９】掃除機本体から集塵ユニットを除去した状態を示す図８対応図である。
【図１０】図３のＢ−Ｂ矢視断面図である。
【図１１】図３に示す掃除機本体に備えられる集塵ユニットの外観斜視図である。
【図１２】図１１に示す集塵ユニットの縦断面図である。
【図１３】図８に示す掃除機本体における空気路の流れを示す説明図である。
【図１４】この発明の実施形態に係る延長パイプにアタッチメントノズル部を装着したときの構成を示す斜視図である。
【図１５】図１４に示すアタッチメントノズル部の構成を示す斜視図である。
【図１６】アタッチメントノズル部を接続しないときの延長パイプを側面から見た説明図である。
【図１７】図１５に示すアタッチメントノズルの平面図である。
【図１８（Ａ）】図１４に示すアタッチメントノズル部を装着した延長パイプの一部拡大断面図である。
【図１８（Ｂ）】図１８（Ａ）に示すアタッチメントノズル部を装着した延長パイプのＥ−Ｅ矢視断面図である。
【図１９（Ａ）】図１８（Ａ）に示すアタッチメントノズル部を装着した状態から後方へスライドさせた状態の延長パイプの一部拡大断面図である。
【図１９（Ｂ）】図１９（Ａ）に示すアタッチメントノズル部を装着した延長パイプのＦ−Ｆ矢視断面図である。
【図２０】図１４に示すアタッチメントノズル部を装着した延長パイプの縦断面図である。
【図２１】図２０に示す縦断面図のノズル吸口部を含む要部拡大図である。
【図２２（Ａ）】図１７のＣ−Ｃ矢視断面図である。
【図２２（Ｂ）】図１７のＤ−Ｄ矢視断面図である。
【図２３】この発明の実施形態に係るノズル支持部の内部の空気の流れの切換を示す説明図である。
【図２４】この発明の実施形態に係るノズル支持部の内部の空気路切換機構を示す説明図である。
【図２５】この発明の実施形態に係るノズル支持部の空気路切換弁の動作を示す説明図である。
【図２６】図１５に示すノズル吸口部の斜視図である。
【図２７（Ａ）】図２６に示すノズル吸口部の平面図である。
【図２７（Ｂ）】図２６に示すノズル吸口部の底面図である。
【図２７（Ｃ）】図２６に示すノズル吸口部の前面図である。
【図２７（Ｄ）】図２７（Ｃ）に示すノズル吸口部のＧ−Ｇ矢視断面図である。
【図２８】図２６に示すノズル吸口部の要部分解斜視図である。
【図２９】図２８に示すノズル吸口部の側面図である。
【図３０】図２８に示すブラシ部材の平面図である。
【図３１】図３０に示すブラシ部材のＨ−Ｈ矢視断面図である。
【図３２】図２６に示すブラシ部材およびブラシの側面図である。
【図３３】図３２に示すブラシ部材およびブラシの一方の腕のＩ−Ｉ矢視断面図である。
【図３４】この発明の実施形態２に係るノズル支持部の空気路切換弁の動作を示す説明図である。
【図３５】図１５に示すアタッチメントノズルの側面図である。
【図３６】図３５に示すノズル吸口部を含む要部拡大図である。
【図３７】図３６の縦断面図である。
【図３８】図３６に示すノズル吸口部の開口部の向きの変化の態様を示す説明図である。
【発明を実施するための形態】
【００１２】
以下、図面に示す実施形態に基づいて、この発明を詳述する。これによってこの発明が限定されるものではない。
【００１３】
〔実施形態１〕
〔電気掃除機の全体説明〕
図１は、この発明の実施形態に係る電気掃除機の外観斜視図、図２と図３は、図１に示す電気掃除機の掃除機本体の上面図と側面図である。
【００１４】
これらの図に示すように、電気掃除機１は、サイクロン方式の集塵ユニット５００を離脱可能に内蔵した掃除機本体１００と、吸引ホース部３００とを備える。
【００１５】
吸引ホース部３００は、吸引ホース３０１と、吸引ホース３０１に着脱可能に接続されるアタッチメントノズル部３２０と、アタッチメントノズル部３２０に着脱可能に接続される延長パイプ３０２と、延長パイプ３０２の先端に接続される吸入部３０３と、手元ハンドル３０４と、手元ハンドル３０４に付設された操作部３０５と、ホース接続部３０６を備える。
【００１６】
吸引ホース３０１は接続部３０６を介して掃除機本体１００の前方に離脱可能に接続され、使用者は手元ハンドル３０４を手で保持しながら延長パイプ３０２の先端の吸入部３０３を床面に接触させながら移動させることができる。
【００１７】
掃除機本体１００は両側面に一対のリング状車輪１４０を、前方下部に自在車輪１１７をそれぞれ備えているので、使用者が手元ハンドル３０４を手で保持して移動するとき、掃除機本体１００はその動作に追随することができる。
【００１８】
掃除機本体１００は、床面の塵埃を空気と共に吸入部３０３から延長パイプ３０２と吸引ホース３０１を介して集塵ユニット５００へ吸引するようになっている。
【００１９】
使用者は掃除機本体１００の内部の集塵ユニット５００の集塵状況をリング状車輪１４０の中央開口１４１から目で確認し、適宜、集塵ユニット５００を掃除機本体１００の上部から引出して集塵ユニット５００に集められた塵埃を廃棄することができる。
【００２０】
掃除機本体１００の後方上部には、図２に示すようにコードリール（後述）の電源コードの差込みプラグ１３１と、電源コードの引出し長さを調整するためのブレーキボタン１３２とが設けられている。
【００２１】
また、掃除機本体１００は手提げハンドル１１５を備えるので、作業者は必要に応じて手提げハンドル１１５を把持し、掃除機本体１００を持ち上げて運搬することが可能である。
また、図３の側面図に示すようにリング状車輪１４０の中央開口を介して集塵ユニット５００の集塵状況が目視による確認が可能である。
【００２２】
図４〜図７は掃除機本体１００の分解斜視図、図８は図２のＡ−Ａ矢視断面図である。図９は掃除機本体１００から集塵ユニット５００を除去した状態の図８対応図、図１０は図３のＢ−Ｂ矢視断面図である。これらの図を用いて掃除機本体１００の構成を説明する。
【００２３】
掃除機本体１００は、その下部を構成する細長い台車１０１（図４参照）と、台車１０１の前方に設置され電動送風機１０６（図６参照）を収容するための下部第１筐体１０２（図６参照）と、台車１０１の中央に設置され集塵ユニット５００を収容するための第２筐体１０３（図４参照）と、台車１０１の後方に設置されコードリール１０８（図７参照）を収容するための第３筐体１０７（図７参照）を備える。
【００２４】
電動送風機１０６（図５、図８参照）は、第１筐体１０２の中にその回転軸方向が重力方向を向くように台座１２２（図５参照）を介して設置される。図６に示す第１筐体カバー１０４とダクト１０５が下部第１筐体１０２（図５参照）の上に装着される。
【００２５】
第１筐体カバー１０４（図６参照）は上面に横中継ダクト１０４ａと縦中継ダクト１０４ｂとを備える。ダクト１０５はパッキン１２４を介して集塵ユニット５００の排出ダクト５７１（図１１参照）を縦中継ダクト１０４ｂ（図６参照）に気密に接続するために設けられている。
【００２６】
縦中継ダクト１０４ｂはダクト１０５を電動送風機１０６に接続するために設けられる。横中継ダクト１０４ａ（図６参照）の出入口にはそれぞれパッキン１２５と１２６が装着されている。
【００２７】
横中継ダクト１０４ａは吸引ホース部３００の接続部３０６（図３、図８参照）を集塵ユニット５００の流入口５０３（図１１参照）にパッキン１２５と１２６を介して接続するために設けられている。
【００２８】
これによって、吸引ホース部３００の接続部３０６から横中継ダクト１０４ａを介して集塵ユニット５００の流入口５０３に至る流路と、集塵ユニット５００の排出ダクト５７１からダクト１０５および縦中継ダクト１０４ｂを介して電動送風機１０６に至る流路が形成される。また、集塵ユニット５００の流出ダクト５７１からの流出口と接続されるダクト１０５の流入口と吸引ホース部３００の接続部３０６から横中継ダクト１０４ａの流入口とが同一面側に形成されている。これは、掃除をする際に電動送風機１０６の吸引力により流入口が同一方向に引っ張られることで集塵ユニット５００が安定する状態になりやすい。
【００２９】
下部第１筐体１０２（図５参照）は後方に延出する配線板ケース１０２ａ（図５、図８参照）を備え、配線板ケース１０２ａにはプリント配線板１２０が収容され、ケース底板１１９（図５参照）が装着される。なお、図５に示すように、下部第１筐体１０２は電動送風機１０６とプリント配線板１２０との間に挿入され、例えば、樹脂製の多孔板から構成されるフィルタ１２１を備える。
【００３０】
このように構成された下部第１筐体１０２（図５参照）は、台車１０１の前方部に固定され、手提げハンドル１１５を有する上部第１筐体１１４（図６参照）がその上から装着される。
【００３１】
一方、台車１０１の中央に設置された第２筐体１０３（図４参照）は、上部に上部開口１０３ａを、両側面に窓１０３ｂを、窓１０３ｂの周囲にリング状の窓枠１０３ｃをそれぞれ備える。
【００３２】
また、第２筐体１０３の底と台車１０１との間には、電動送風機１０６から排出される空気路を第３筐体１０７の方へ流すための下部流路１３８（図８参照）が形成される。
【００３３】
台車１０１の後方には、電源コード（図示しない）を引出し可能に巻回するコードリール１０８（図７参照）と、コードリール１０８を回転可能に支持するコードリール支持板１２７、１２８などが設けられ、それらが第３筐体１０７（図７参照）によって覆われる。
【００３４】
第３筐体１０７は、コードリール１０８をリール軸が台車１０１の長手方向に平行になるように収容する。また、第３筐体１０７は、電動送風機１０６により生成され下部流路１３８を流れる空気路をコードリール１０８を介して掃除機本体１００の後方に排出するための排気口１３３を備える。これによって、コードリール１０８に巻回されている電源コードが通電時に冷却される。
【００３５】
図４に示す一対の円弧状の補強梁１０９は、第２筐体１０３のリング状の窓枠１０３ｃの上半分と結合するように台車１０１に固定されると共に、図９に示すように、上部第１筐体１１４と第３筐体１０７とを連結する。これによって掃除機本体１００の長手方向の剛性が補強される。
【００３６】
そして、図４に示すように、半円弧状の補強梁１０９と台車１０１の両側からリング状車輪１４０が取り付けられる。リング状車輪１４０は、リング状車輪ガイド１１１と、リング状車輪本体１１０と、リング状車輪カバー１１２と、円弧状化粧カバー１１３を備えている。
【００３７】
このように構成された掃除機本体１００に対して、集塵ユニット５００が、図８〜図１０に示されるように掃除機本体１００の上方から一対の補強梁１０９の間を、第２筐体１０３の上部開口１０３ａ（図４参照）を介して第２筐体１０３内へ装填される。
【００３８】
なお、自在車輪１１７は、電動送風機１０６の真下の位置に自在フレーム１１６（図４参照）を介して台車１０１の外側底面に回転・旋回自在に設けられる。このように電動送風機１０６が前方にあることで重心が前になり、電動送風機１０６の下側に自在車輪１１７も設けることで、掃除をするときに電気掃除機本体１００の前方が浮き上がることが抑制でき、ホース３０１の引っ張りによる電気掃除機本体１００の移動が追随しやすくなる。
【００３９】
このようにして、掃除機本体１００では、台車１０１の前方（吸引ホース部３００の接続側）から長手方向に一列に、電動送風機１０６、集塵ユニット５００およびコードリール１０８が配列され、流路がそれらの上と下に設けられるので、掃除機本体１００の幅寸法を最小にしている。
【００４０】
図１１と図１２は、集塵ユニット５００の外観斜視図と縦断面図である。集塵ユニット５００は、カップカバーユニット５７０、カップカバーハンドル５９１、フィルタユニット５５０、内筒ユニット５３０、ダスト仕切り５３５および有底円筒状のダストカップ５０１を有する。
【００４１】
ダストカップ５０１は集塵状況が外部から目視可能なように透明樹脂から形成される。図１１に示すようにダストカップ５０１の前部の周面には吸引ホース部３００（図１参照）からの空気路が流入する流入口５０３が設けられる。
【００４２】
図１０を参照すると、吸引ホース部３００の接続部３０６は、円筒状のダストカップ５０１の内部円周面にその接線方向から真直ぐに空気が流入するように掃除機本体１００の中心から偏って屈曲している。
【００４３】
電動送風機１０６が作動すると、空気路は接続部３０６と横中継ダクト１０４ａを介してダストカップ５０１に周接線方向に真直ぐに流入し、ダストカップ５０１内に高速の旋回気流を形成する。
【００４４】
これにより、空気路に含まれる塵埃が遠心分離される。集塵ユニット５００は、形成する旋回気流の中心軸が重力方向を向くように設置されているので、遠心分離された塵埃の内、重いものは重力の作用によりダスト仕切り５３５の下方に集積される。
ここで、集塵ユニット５００の旋回気流の中心軸が重力方向を向くとは、旋回気流の中心軸が真下を向いている必要はなく、集塵ユニット５００が縦方向にて掃除機本体１００に配置されていればよい。
【００４５】
内筒ユニットの表面には、メッシュフィルタ（図示しない）が設けられており、軽いものは空気路と共に内筒ユニット５３０のスリットを介して上昇するが、大きい塵埃はこのメッシュフィルタによりろ過され、このメッシュフィルタを通過した細かい塵埃は、フィルタユニット５５０によりろ過される。フィルタユニット５５０は山部と谷部とが連続するプリーツフィルタから構成される。ろ過された空気路は排出ダクト５７１を介して電動送風機１０６へ吸引される。
【００４６】
図１３は図８に示す掃除機本体１００における空気路の流路を示す説明図である。
同図に示すように、吸引ホース３０１からの空気路は、接続部３０６を介して電動送風機１０６の上方を通って集塵ユニット５００へ流入する。
【００４７】
流入した空気路は集塵ユニット５００のダストカップ５０１内で旋回流となる。そして、集塵の遠心分離が行われた後、空気路は上昇し、フィルタユニット５５０を通過して電動送風機１０６を通り、集塵ユニット５００の下方に台車１０１の縦方向に形成された下部流路１３８に入る。
【００４８】
そして、空気路は下部流路１３８中に設置された配線板ケース１０２ａの中をプリント配線板１２０を冷却しながら通過した後、コードリール１０８の中を通って分散される。分散された空気路は、第３筐体１０７の背面に設けられた排気口１３３から外へ排出される。
【００４９】
従って、電動送風機１０６から空気路に乗って外へ出ようとする騒音は、集塵ユニット５００の下方に台車１０１の縦方向に形成された長い下部流路１３８によって減衰されると共に、下部流路１３８中の配線板ケース１０２ａと第３筐体１０７内のコードリール１０８とによって分散・吸収される。これによって、掃除機本体１００から外へ出る電動送風機１０６の騒音は効果的に低下する。
【００５０】
また、図１３に示すように、空気路の流路は掃除機本体１００の上部と下部に分けて設けられ、側面部分に設けられていないので、掃除機本体１００の横幅は最小限に小さくなっている。
【００５１】
〔延長パイプおよびアタッチメントノズル部の構成〕
次に、図１４〜図１９に基づき、延長パイプおよびアタッチメントノズル部の構成を説明する。
図１４は、この発明の実施形態に係る延長パイプ３０２にアタッチメントノズル部３２０を装着したときの構成を示す斜視図である。
図１４に示すように、延長パイプ３０２の後端側（図１４の右側）にアタッチメントノズル部３２０が装着される。
アタッチメントノズル部３２０は手元ハンドル３０４に着脱可能に接続されるが、アタッチメントノズル部３２０を介さずに直接延長パイプ３０２を手元ハンドル３０４に着脱可能に接続することもできる。
【００５２】
図１５は、図１４に示すアタッチメントノズル部３２０の構成を示す斜視図である。
なお、図１４と対応する部分には、同一の符号を付して説明を省略する。以下の図面についても同様である。
【００５３】
図１５に示すように、アタッチメントノズル部３２０は、図１５の左上側から順に、ノズル吸口部３２０ｖ、伸縮ノズル３２０ｚ、固定ノズル３２０ｆ、ノズル連通部３２０ｓ、ノズル支持部３２０ｈおよびノズル接続部３２０ｃを備える。延長パイプ３０２は、ノズル支持部３２０ｈの左側の接続口３２０ｈｆｏ1に着脱可能に接続される。
なお、図１５の下方にノズル開口部３２０ｖｏが設けられており、ここから空気を吸引する（図２７（Ｂ）参照）。
【００５４】
固定ノズル３２０ｆおよびノズル連通部３２０ｓの間には、固定ノズル３２０ｆを可動させるためのノズル可動部３２０ｍを設けてもよい。ノズル可動部３２０ｍを設けた場合の変形例については、実施形態２として図３５の説明において後述する。
伸縮ノズル３２０ｚの上部には、係止孔３２０ｂ1が設けられている。係止孔３２０ｂ1の詳細については、図３７の説明において後述する。
ノズル支持部３２０ｈの側面前部には、着脱レバー３２０ｂ2が設けられている。着脱レバー３２０ｂ2の詳細についても、図２２の説明において後述する。
【００５５】
図１６は、アタッチメントノズル部３２０を接続しないときの延長パイプ３０２を側面から見た説明図である。
【００５６】
図１６に示すように、延長パイプ３０２は、先端側（図１６の左側）から順に、延長パイプ伸縮部３０２ｚ、延長パイプ固定部３０２ｆおよび延長パイプ接続部３０２ｃを備える。
延長パイプ伸縮部３０２ｚの上部には、延長パイプ伸縮部３０２ｚの管内に吸入部３０３を着脱自在に装着するための吸入部着脱ボタン３０２ｂ1が設けられている。
延長パイプ伸縮部３０２ｚの下部には、電気掃除機１の本体の収納時に、延長パイプ３０２を本体底のホルダー（図示せず）に差し込むための収納用フック３０２ｈが設けられている。
延長パイプ固定部３０２ｆの上部前側には、延長パイプ固定部３０２ｆの管内に挿入された延長パイプ伸縮部３０２ｚの係止を解除して摺動可能にする延長パイプ伸縮ボタン３０２ｂ2が設けられている。
【００５７】
ノズル係止部３０２ｌは、アタッチメントノズル部３２０の装着時に吸口部３２０ｖの先端部を係止して延長パイプ固定部３０２ｆの上部に固定するものである。
【００５８】
図１７は、図１５に示すアタッチメントノズル部３２０の平面図である。
【００５９】
図１７に示すように、着脱レバー３２０ｂ2は、ノズル支持部３２０ｈの左右両側側面の対称的な位置に設けられており、ノズル支持部３２０ｈの後方（図１７の右側）へ着脱レバー３２０ｂ2をスライドさせることによって、延長パイプ３０２のノズル支持部３２０ｈへの装着状態が解除され、ノズル支持部３２０ｈから延長パイプ３０２の取り外しが可能となる。着脱レバー３２０ｂ2の詳細については、図２２（Ｂ）の説明において後述する。
【００６０】
図１８（Ａ）は、図１４に示すアタッチメントノズル部を装着した延長パイプの一部拡大断面図である。
図１８（Ｂ）は、図１８（Ａ）に示すアタッチメントノズル部を装着した延長パイプのＥ−Ｅ矢視断面図である。
【００６１】
図１８（Ａ）（Ｂ）に示すように、アタッチメントノズル部３２０を使用しないときは、アタッチメントノズル部３２０のノズル吸口部３２０ｖの先端の凸形状と延長パイプ３０２上部のノズル係止部３０２ｌとが嵌合される。そのため、ノズル吸口部３２０ｖが延長パイプの中心軸に対して左右両側にずれるのを防止できる。
【００６２】
図１９（Ａ）は、図１８（Ａ）に示すアタッチメントノズル部を装着した状態から後方へスライドさせた状態の延長パイプの一部拡大断面図である。
図１９（Ｂ）は、図１９（Ａ）に示すアタッチメントノズル部を装着した延長パイプのＦ−Ｆ矢視断面図である。
【００６３】
図１９（Ａ）（Ｂ）に示すように、アタッチメントノズル部３２０を使用するときは、アタッチメントノズル部３２０を延長パイプ３０２の後端側に摺動させてからノズル吸口部３２０ｖの先端の凸形状と延長パイプ３０２上部のノズル係止部３０２ｌとの嵌合を解除する。
【００６４】
このように、アタッチメントノズル部３２０を使用しないときは、ノズル吸口部３２０ｖが延長パイプ上面のカバーに収納された状態で、延長パイプ３０２と接続されて一体化された外観を有するため、コンパクトな構造を実現できる。それゆえ、掃除機本体を持ったままでも掃除が容易にできるように使い勝手が改善され、また、移動の際にも家具等への引っかかりが少なく、持ち運びに便利で扱い易い掃除機を実現できる。
【００６５】
延長パイプ固定部３０２ｆの上部後端には、突起部３０２ｐが設けられている。突起部３０２ｐの詳細については、図２２（Ｂ）の説明において後述する。
延長パイプ接続部３０２ｃの上部には、係止凹部３０２ｃｄが設けられている。係止凹部３０２ｃｄは、延長パイプ接続部３０２ｃをノズル支持部３２０ｈに接続したまま係止させるものである。係止凹部３０２ｃｄによる延長パイプ接続部３０２ｃとノズル支持部３２０ｈとの接続については、図２２（Ｂ）の説明において後述する。
【００６６】
〔延長パイプおよびアタッチメントノズルの内部構成〕
次に、図２０および図２１に基づき、ノズル支持部３２０ｈの構成を説明する。
【００６７】
図２０は、図１４に示すアタッチメントノズル部３２０を装着した延長パイプ３０２の縦断面図である。
図２１は、図２０に示す縦断面図のノズル吸口部３２０ｖを含む要部拡大図である。
【００６８】
図２０に示すように、延長パイプ伸縮部３０２ｚは、延長パイプ固定部３０２ｆの管内を前後方向に摺動可能に設けられている。ここで、ノズル支持部３２０ｈへ至る空気の経路には、延長パイプ３０２の延長パイプ固定部３０２ｆから接続口３２０ｈｆｏ1を経由してノズル支持部３２０ｈ内へ入る経路と、固定ノズル３２０ｆからノズル連通部３２０ｓ内の連通路３２０ｓｆを経由して連通口３２０ｈｆｏ2からノズル支持部３２０ｈ内へ入る経路の２つの経路がある。ここで、延長パイプ３０２の延長パイプ固定部３０２ｆから接続口３２０ｈｆｏ1を経由してノズル支持部３２０ｈ内へ入る経路は、本発明に係る第１の経路の一例である。また、固定ノズル３２０ｆからノズル連通部３２０ｓ内の連通路３２０ｓｆを経由して連通口３２０ｈｆｏ2からノズル支持部３２０ｈ内へ入る経路は、本発明に係る第２の経路の一例である。
【００６９】
図２１に示すように、延長パイプ伸縮ボタン３０２ｂ2を押し下げることにより、延長パイプ伸縮ボタン３０２ｂ2に連動するノズル係止部３０２ｌと延長パイプ固定部３０２ｆとの係止が解除されるため、延長パイプ伸縮部３０２ｚの延長パイプ固定部３０２ｆ内の摺動が可能となる。
【００７０】
〔ノズル支持部近辺の内部構成〕
次に、図２２および図２３に基づき、ノズル支持部３２０ｈ近辺の内部構成を説明する。
図２２（Ａ）は、図１７のＣ−Ｃ矢視断面図である。
図２２（Ｂ）は、図１７のＤ−Ｄ矢視断面図である。
【００７１】
図２２（Ａ）に示すように、ノズル可動部３２０ｍは、軸３２０ｍｓを中心として、固定ノズル３２０ｆを回動可能に支持する。ここで、ノズル可動部３２０ｍのノズル支持部内経路３２０ｓｆに対向する面には、係合凹部３２０ｍｃ1および３２０ｍｃ2が設けられ、ノズル支持部内経路３２０ｈｆの外面の対向位置に設けられた係合凸部３２０ｓｆｐと係合することによって、固定ノズル３２０ｆの回動を係止する。
【００７２】
図２２（Ｂ）に示すように、ノズル支持部３２０ｈの内部には、接続口３２０ｈｆｏ1を介して延長パイプ固定部３０２ｆから流れてきた空気を通すためのノズル支持部内経路３２０ｈｆが設けられている。
また、ノズル連通部３２０ｓの内部には、固定ノズル３２０ｆから吸引された空気を通すための連通路３２０ｓｆが設けられており、連通路３２０ｓｆを通る空気の流れは、連通口３２０ｈｆｏ2からノズル支持部内経路３２０ｈｆに流出する。
ノズル支持部内経路３２０ｈｆに入った空気の流れは、ノズル接続部３２０ｃに向かい、手元ハンドル３０４および吸引ホース３０１を経て、接続部３０６から掃除機本体１００の集塵室１５０に入る。
【００７３】
ノズル支持部３２０ｈに延長パイプ３０２を接続したとき、延長パイプ固定部３０２ｆの後端上部に設けられた突起部３０２ｐ（図１６参照）に当接して、ノズル支持部３２０ｈの前方から突き出たアーム３２０ｐがノズル支持部３２０ｈの後方（図２２（Ｂ）の右側）へと押し込められる。
【００７４】
伸縮ノズル３２０ｚの後部上面には（図示しない）ばねによって上方に付勢された係止凸部３２０ｚｐ（図２２（Ｂ）参照）が設けられており、固定ノズル３２０ｆの管内から伸縮ノズル３２０ｚを引き出したとき、係止凸部３２０ｚｐが係止孔３２０ｂ1に係止するため、固定ノズル３２０ｆの管内から伸縮ノズル３２０ｚが外れるのを防止できる。逆に、伸縮ノズル３２０ｚを固定ノズル３２０ｆの管内に押し込めるときは、係止孔３２０ｂ1に係止した係止凸部３２０ｚｐを押圧して係止を解除する。
【００７５】
係止凹部３２０ｃｄは、延長パイプ接続部３０２ｃをノズル支持部３２０ｈに接続したまま係止させるものである。延長パイプ接続部３０２ｃをノズル支持部３０２ｈの管内に挿入したとき、ノズル支持部３２０ｈの管内上面の対向する位置に、ばね３２０ｈｓｐおよび支点軸３２０ｈｓを介して下方に付勢された係止凸部３２０ｈｐ1が突設されており、係止凹部３２０ｃｄと係止凸部３２０ｈｐ1とが係合することによって、延長パイプ接続部３０２ｃをノズル支持部３２０ｈに接続したまま係止させる。
係止凹部３２０ｃｄと係止凸部３２０ｈｐ1との係合を解除する場合、着脱レバー３２０ｂ2を後端側（図２２（Ａ）の右側）へスライドさせることにより、着脱レバー３２０ｂ2と連動する係合凹部３２０ｂ2ｄと係合した係合凸部３２０ｈｐ2が、ばね３２０ｈｓｐの付勢力に抗して上方へ押し上げられ、係止凸部３２０ｈｐ1と係止凹部３２０ｃｄとの係合が解除される。
【００７６】
〔ノズル支持部の内部の空気の流れ〕
次に、図２３に基づき、ノズル支持部３２０ｈの内部の空気の流れを説明する。
図２３（Ａ）（Ｂ）はそれぞれ、ノズル支持部３２０ｈに延長パイプ３０２を接続したとき、ノズル支持部３２０ｈから延長パイプ３０２を取り外したときの、ノズル支持部３２０ｈの内部の空気の流れの切換を示す説明図である。なお、図２３（Ａ）では、ノズル支持部３２０ｈに接続された延長パイプ３０２の図示を省略している。
【００７７】
図２３（Ａ）に示すように、ノズル支持部３２０ｈに延長パイプ３０２を接続したとき、延長パイプ３０２の後端上部に設けられた突起部３０２ｐ（図１６参照）に当接して、ノズル支持部３２０ｈの前方から突き出たアーム３２０ｐがノズル支持部３２０ｈの後方（図２３（Ａ）の右側）へと押し込められる。このとき、アーム３２０ｐの動作に連動して、空気路切換弁３２０ｈｆｖがヒンジ３２０ｈｉを中心として上方へ回動することにより、連通口３２０ｈｆｏ2が閉鎖される。その結果、電動送風機１０６を作動させたとき、連通口３２０ｈｆｏ2からの空気の流れが遮断される一方で、接続口３２０ｈｆｏ1からノズル接続部３２０ｃへ向かう空気路ＡＦ１に沿った空気の流れが形成される。
なお、アーム３２０ｐの動作に連動した空気路切換弁３２０ｈｆｖの切換機構の詳細については、図２４の説明において後述する。
【００７８】
一方、図２３（Ｂ）に示すように、ノズル支持部３２０ｈから延長パイプ３０２を取り外したとき、突起部３０２ｐとアーム３２０ｐとの当接が解除され、ばね３２０ｓｐ1によって付勢されて、アーム３２０ｐが前方（図２３（Ｂ）の左側）に突き出る。このとき、アーム３２０ｐの動作に連動して、空気路切換弁３２０ｈｆｖがヒンジ３２０ｈｉを中心として下方へ回動することにより、連通口３２０ｈｆｏ2が開放され、ノズル支持部内経路３２０ｈｆを閉鎖する。
その結果、電動送風機１０６を作動させたとき、接続口３２０ｈｆｏ1からの空気の流れが遮断される一方で、固定ノズル３２０ｆから連通路３２０ｓｆを通ってノズル接続部３２０ｃへ向かう空気路ＡＦ２に沿った空気の流れが形成される。
【００７９】
〔空気路切換機構〕
次に、図２４および図２５に基づき、空気路切換機構を説明する。
図２４は、この発明の実施形態に係るノズル支持部３２０ｈの内部の空気路切換機構を示す説明図である。
図２５は、この発明の実施形態に係るノズル支持部３２０ｈの空気路切換弁３２０ｈｆｖの動作を示す説明図である。
【００８０】
図２４に示すように、ヒンジ３２０ｈｉの両側端には、ヒンジ３２０ｈｉを中心として空気路切換弁３２０ｈｆｖを下方へ付勢するばね３２０ｓｐ2が設けられている。
ノズル支持部３２０ｈに延長パイプ３０２が接続されると、延長パイプ３０２の突起部３０２ｐと当接したアーム３２０ｐが、ばね３２０ｓｐ1の付勢力に抗してノズル支持部３２０ｈ内に押し込められる。その結果、アーム３２０ｐと連動した摺動部３２０ｈｌは、ノズル支持部３２０ｈの後方（図２４の右側）へ摺動する。
【００８１】
摺動部３２０ｈｌの両側面には、ノズル支持部３２０ｈの後方に向かって傾斜した第１連動レバー３２０ｈｆｇが設けられている。第１連動レバー３２０ｈｆｇは、空気路切換弁３２０ｈｆｖの上面に設けられた第２連動レバー３２０ｈｆｖｓと互いに当接しつつ摺動する。
【００８２】
図２５（Ａ）（Ｂ）に示すように、第１連動レバー３２０ｈｆｇが矢符ＳＤの方向に摺動するにつれ、第１連動レバー３２０ｈｆｇに当接した第２連動レバー３２０ｈｆｖｓが上方へと押し上げられる。その結果、空気路切換弁３２０ｈｆｖがヒンジ３２０ｈｉの周りに上方へ押し上げられ、連通口３２０ｈｆｏ2を閉鎖して連通路３２０ｓｆからの空気の流れを遮断するとともに、接続口３２０ｈｆｏ1からの空気の経路を形成する。
一方、第１連動レバー３２０ｈｆｇが矢符ＳＤとは反対方向に摺動するにつれ、第１連動レバー３２０ｈｆｇに当接した第２連動レバー３２０ｈｆｖｓが下方へと押し下げられる。その結果、空気路切換弁３２０ｈｆｖがヒンジ３２０ｈｉの周りに下方へ押し下げられ、ノズル支持部内経路３２０ｈｆを閉鎖して接続口３２０ｈｆｏ1からの空気の流れを遮断するとともに、連通口３２０ｈｆｏ2からの空気の経路を形成する。
【００８３】
〔ノズル吸口部のブラシの取り付け構造〕
次に、図２６〜図３３に基づき、ノズル吸口部３２０ｖのブラシの取り付け構造について説明する。
図２６は、図１５に示すノズル吸口部３２０ｖの斜視図である。
図２７（Ａ）は、図２６に示すノズル吸口部３２０ｖの平面図である。
図２７（Ｂ）は、図２６に示すノズル吸口部３２０ｖの底面図である。
図２７（Ｃ）は、図２６に示すノズル吸口部３２０ｖの前面図である。
図２７（Ｄ）は、図２７（Ｃ）に示すノズル吸口部３２０ｖのＧ−Ｇ矢視断面図である。
【００８４】
図２６および図２７（Ａ）〜（Ｄ）に示すように、ノズル吸口部３２０ｖは、吸口カバー３２０ｖｃと、ブラシ部材取付部３２０ｖｍｈと、ブラシ部材３２０ｖｍと、ブラシ３２０ｖｂとを備える。
【００８５】
図２８は、図２６に示すノズル吸口部３２０ｖの要部分解斜視図である。
図２９は、図２８に示すノズル吸口部３２０ｖの側面図である。
図３０は、図２８に示すブラシ部材３２０ｖｍの平面図である。
【００８６】
図２８に示すように、ブラシ部材３２０ｖｍの上部に設けられた係合凸部３２０ｖｍｐをブラシ部材取付部３２０ｖｍｈに設けられた開口部３２０ｖｍｏに嵌合することによって、ブラシ部材３２０ｖｍをブラシ部材取付部３２０ｖｍｈに取り付ける。
図２８および図２９に示すように、ブラシ部材３２０ｖｍは、ブラシ部材取付部３２０ｖｍｈに嵌合可能に設けられ、その周面にブラシ３２０ｖｂが設けられる。
図２８および図３０に示すように、ブラシ部材３２０ｖｍは、ノズル吸口部３２０ｖのノズル開口部３２０ｖｏの周縁部に設けられる。
【００８７】
図３１は、図３０に示すブラシ部材３２０ｖｍのＨ−Ｈ矢視断面図である。
図３２は、図２６に示すブラシ部材３２０ｖｍおよびブラシ３２０ｖｂの側面図である。
図３３は、図３２に示すブラシ部材およびブラシの一方の腕のＩ−Ｉ矢視断面図である。
【００８８】
図３１に示すように、ブラシ部材３２０ｖｍは、逆Ｌ字形の断面形状を有するブラシ部材本体３２０ｖｍｂの外側面にブラシ３２０ｖｂが設けられる。このとき、金属芯などの固定部３２０ｖｆを打ち込むことによって、ブラシ部材本体３２０ｖｍｂとブラシ３２０ｖｂとを接合する。
図３２および図３３に示すように、ブラシ部材本体３２０ｖｍｂとブラシ３２０ｖｂとの間に複数の固定部３２０ｖｆを打ち込み接合する。それゆえ、ブラシ部材３２０ｖｍの材料としては、金属芯を打ち込むことができ、かつ、清掃時の激しい動作にも耐えうる接合強度を有する樹脂を用いるのが望ましい。
【００８９】
〔実施形態２〕
次に、図３４に基づき、この発明の実施形態２に係るノズル支持部の空気路切換弁の動作について説明する。
図３４は、この発明の実施形態２に係るノズル支持部の空気路切換弁の動作を示す説明図である。
【００９０】
図３４（Ａ）（Ｂ）に示すように、ノズル支持部３２０ｈに延長パイプ３０２が接続されて、第１連動レバー３２０ｈｆｇが矢符ＳＤの方向に摺動するにつれ、第１連動レバー３２０ｈｆｇに当接した第２連動レバー３２０ｈｆｖｓが上方へと押し上げられる。
ここで、実施形態１と異なる点は、第２連動レバー３２０ｈｆｖｓは、第１連動レバー３２０ｈｆｇに設けられた傾斜長孔内を摺動する点である。
【００９１】
このようにすることで、使用者が延長パイプ３０２を水平状態から大きく傾けた場合でも、第１連動レバー３２０ｈｆｇと第２連動レバー３２０ｈｆｖｓとの間の当接が解除されることを防止でき、使用者がどのような角度で延長パイプを把持しても、確実に動作する空気路変換機構を実現できる。
【００９２】
〔実施形態３〕
次に、図３５に基づき、この発明の実施形態３に係るアタッチメントノズル部について説明する。
図３５は、図１５に示すアタッチメントノズル部３２０の側面図である。
【００９３】
図３５に示すように、固定ノズル３２０ｆは、ノズル可動部３２０ｍを中心として、回動可能に設けてもよい。図３５において、ノズル中心軸３２０ａｘは、固定ノズル３２０ｆの空気の経路の中心を通る軸である。
この場合、例えば、固定ノズル３２０ｆをノズル支持部３２０ｈに対して下方へ回動することによって、タンスやエアコンなどの上面のような高い位置に溜まったほこりなどの汚れを無理なく掃除できるため、使用者の負担が小さくなる。
また、固定ノズル３２０ｆをノズル支持部３２０ｈに対して上方へ回動可能とすることによって、ベッドの下のような低い位置に溜まったほこりなどの汚れを無理なく掃除できるため、使用者の負担が小さくなる。
なお、この場合、図３８の説明において後述するように、ノズル吸口部３２０ｖの開口部の向きを調整することによって、開口部を床面上に密着させることが可能となる。
【００９４】
〔実施形態４〕
次に、図３６に基づき、この発明の実施形態４に係るアタッチメントノズル部について説明する。
図３６は、図３５に示すノズル吸口部３２０ｖを含む要部拡大図である。
【００９５】
図３６に示すように、ノズル吸口部３２０ｖの先端部を上下方向に回転させるための回転軸３２０ｖｓを設けてもよい。このような回転軸３２０ｖｓを設けた場合、図３８（Ａ）に示すように、回転軸３２０ｖｓを中心としてノズル吸口部３２０ｖの先端部を上下方向に回動させることができる。それゆえ、タンスやエアコンなどの上面のような高い位置や、ベッドの下のような低い位置に溜まったほこりなどの汚れを掃除するために、固定ノズル３２０ｆのノズル中心軸３２０ａｘと床面との角度が急になったとしても、その角度に応じてノズル吸口部３２０ｖを上下方向に回動させることによって、ノズル吸口部３２０ｖの開口部を常に床面上に密着させることが可能となり、吸引力を損なうことなく、無理なく掃除することができ、使用者の負担が小さくなる。
なお、ノズル吸口部３２０ｖが回動する構造については、同出願人である特開２０１０−１６２０８３を参照されたい。
【００９６】
〔実施形態５〕
最後に、図３７および図３８に基づき、この発明の実施形態５に係るアタッチメントノズル部について説明する。
図３７は、図３６の縦断面図である。
図３８は、図３６に示すノズル吸口部３２０ｖの開口部の向きの変化の態様を示す説明図である。
図３７に示すように、ノズル吸口部３２０ｖには、伸縮ノズル３２０ｚの内部に挿入自在に回動差込口３２０ｖｉを設けてもよい。この場合、回動差込口３２０ｖｉは、伸縮ノズル３２０ｚのノズル中心軸３２０ａｘを中心として、伸縮ノズル３２０ｚの管内を回動可能となる。
なお、ノズル吸口部３２０ｖの開口部が左右または上下方向を向いた状態で固定されるように、回動差込口３２０ｖｉをノズル中心軸３２０ａｘに垂直な平面で切ったときの断面形状の四隅が丸みを帯びた四角形状となるように成形してもよい。また、図３７に示すように、伸縮ノズル３２０ｚのノズル中心軸３２０ａｘ周りの回動を容易にするため、回動差込口３２０ｖｉの側面に、切込３２０ｖｉｓを施してもよい。
【００９７】
このような回動差込口３２０ｖｉを設けることにより、図３８（Ｂ）に示すように、ノズル中心軸３２０ａｘの周りに回動差込口３２０ｖｉを左右に９０°回転させることによって、ノズル開口部３２０ｖｏが横向きになるようにノズル吸口部３２０ｖを回動させることができる。
このように、手元ハンドル３０４を横向きに寝かせた状態で回動差込口３２０ｖｉを９０°回転させ、ノズル開口部３２０ｖｏを下方に向けたまま片手を左右に振って動かすことにより、手首に負担をかけることなくベッドの下などの狭い空間を効率よく掃除することができる。
【００９８】
また、図３８（Ｃ）に示すように、ノズル中心軸３２０ａｘの周りに回動差込口３２０ｖｉを左右に１８０°回転させることによって、ノズル開口部３２０ｖｏが上方向を向くようにノズル吸口部３２０ｖを回動させることが可能となる。
このように、手元ハンドル３０４を横向きに寝かせた状態で回動差込口３２０ｖｉを１８０°回転させ、ノズル開口部３２０ｖｏを横方向に向けたまま手元ハンドル３０４を握ったまま片手を上下に振って動かすことにより、手首に負担をかけることなくタンスとタンスの間の縦長の狭い隙間の両側を効率よく掃除することができる。
【００９９】
以上に述べたように、この発明の電気掃除機は、吸引ホース部および掃除機本体を備え、前記掃除機本体は、前記吸引ホース部が接続され吸込んだ空気から塵埃を分離して集塵する集塵ユニットと、前記吸引ホース部から前記集塵ユニットを介して空気を吸引する電動送風機とを備え、前記吸引ホース部は、使用者が持つ手元ハンドルが設けられた手元ハンドル管と、前記手元ハンドル管に着脱可能に接続されアタッチメントノズルを支持するノズル支持部と、前記ノズル支持部に着脱可能に接続される延長パイプとを備え、前記ノズル支持部は、前記延長パイプから吸引された空気の経路である第１の経路と前記アタッチメントノズルから吸引された空気の経路である第２の経路とを連通させるノズル支持部内経路と、前記延長パイプを接続したとき前記第２の経路を閉鎖し、前記延長パイプを取り外したとき前記第１の経路を閉鎖する空気路切換部とを備え、前記空気路切換部は、前記ノズル支持部内経路に対して傾斜した面をもって前記第１の経路を閉鎖することを特徴とする。
【０１００】
さらに、この発明の好ましい態様について説明する。
この発明において、前記空気路切換部は、ヒンジおよび前記ヒンジを中心に回転する回転弁からなり、前記ヒンジは空気の流れの上流側に、前記回転弁は下流側に設けられ、前記第１の経路を閉鎖したとき、前記アタッチメントノズルから吸引される空気の流れによって前記第１の経路を閉鎖する風圧を受けるべく傾斜した面を有するように構成されたものであってもよい。
このようにすれば、吸引時の風圧を受けて第１の経路が閉じる方向へ力が働くことによって、従来よりも小さな付勢力を有するばね等の弾性部材で空気路切換部の閉鎖状態を保持でき、また複雑なロック機構を設ける必要もないため、コンパクトな空気路切換機構を有する電気掃除機を実現できる。
【０１０１】
この発明において、前記ノズル支持部は、前記第１の経路を閉鎖する方向に前記回転弁を付勢する弾性部材と、前記ノズル支持部内経路の内側を摺動する第１連動レバーと、前記回転弁に固定され前記第１連動レバーと係合する第２連動レバーとを備え、前記第１連動レバーは、前記ノズル支持部内経路の内側を摺動する方向に付勢する力を、前記回転弁が開閉する方向に付勢する力に変換する構造を有するように構成されたものであってもよい。
このようにすれば、回転弁の切り換えにおいて、第１連動レバーの移動距離が小さくて済むため、コンパクトな空気路切換機構を有する電気掃除機が実現できる。
【０１０２】
この発明において、前記延長パイプは、前記ノズル支持部に接続したとき、その端部が前記回転弁に接触せず、かつ、前記第１連動レバーを前記ノズル支持部内経路の内側を摺動させるべく構成された突起部を備えるように構成されたものであってもよい。
このようにすれば、空気路の切換の間、延長パイプが回転弁に当接しないため、回転弁の損傷を生じるおそれがない。
【０１０３】
従来、延長パイプの一端を空気路切換弁に当接させて空気路切換弁を回転させることによって空気路の切換を行っていたが、従来の方法では、延長パイプの接続の際に必要以上に強い力が加わることも多く、また、延長パイプの一端が空気路切換弁の軸近くの部分にのみ当接することから、空気路切換弁の一部に大きな負荷がかかり、空気路切換弁の損傷や変形を生じるおそれがあった。
しかし、この発明においては、延長パイプに設けられた突起部と第１連動レバーとの係合によって空気路切換弁を開閉する構成を有するため、空気路切換弁の損傷等のリスクが回避される。
【０１０４】
この発明において、前記アタッチメントノズルは、先端部にノズル吸口部を備え、前記ノズル吸口部は、その吸い込み口の周縁部に、ブラシが形成されたブラシ部材を取り付けるためのブラシ部材取付部を備えるように構成されたものであってもよい。
このようにすれば、様々な種類のブラシ部材取付部を取り付けるだけで、用途に合わせて適したブラシを使用できる。また、細かい埃が多い場所を掃除する場合に、ブラシが密に並んだブラシ部材を取り付けることで、毛の束と束の間に埃が入らずに掃除することできる。
【０１０５】
この発明の好ましい態様は、ここで示した複数の態様のうち何れかを組み合わせたものも含む。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１０６】
１：電気掃除機、    １００：掃除機本体、    ３００：吸引ホース部、    ３０１：吸引ホース、    ３０２：延長パイプ、    ３０２ｂ1：吸入部着脱ボタン、    ３０２ｂ2：延長パイプ伸縮ボタン、    ３０２ｃ：延長パイプ接続部、    ３０２ｃｄ：係止凹部、    ３０２ｆ：延長パイプ固定部、    ３０２ｌ：ノズル係止部、    ３０２ｏ：延長パイプ開口部、    ３０２ｐ：突起部、    ３０２ｚ：延長パイプ伸縮部、    ３０３：吸入部、    ３０４：手元ハンドル、    ３０５：操作部、    ３２０：アタッチメントノズル部、    ３２０ａｘ：ノズル中心軸、    ３２０ｂ1：係止孔、    ３２０ｂ2：着脱レバー、    ３２０ｂ2ｄ：係合凹部、    ３２０ｆ：固定ノズル、    ３２０ｈ：ノズル支持部、    ３２０ｈｆ：ノズル支持部内経路、    ３２０ｈｆｇ：第１連動レバー、    ３２０ｈｆｖｓ：第２連動レバー、    ３２０ｈｆｏ1：接続口、    ３２０ｈｆｏ2：連通口、    ３２０ｈｆｖ：空気路切換弁、    ３２０ｈｉ：ヒンジ、    ３２０ｈｌ：摺動部、    ３２０ｐ：アーム、    ３２０ｓ：ノズル連通部、    ３２０ｓｆ：連通路、    ３２０ｓｆｐ：係合凸部、    ３２０ｓｐ1，３２０ｓｐ2：ばね、    ３２０ｖ：ノズル吸口部、    ３２０ｖｂ：ブラシ、    ３２０ｖｃ：吸口カバー、    ３２０ｖｍｈ：ブラシ部材取付部、    ３２０ｖｍｏ：開口部、    ３２０ｖｉ：回動差込口、    ３２０ｖｆ：固定部、    ３２０ｖｏ：ノズル開口部、    ３２０ｖｍ：ブラシ部材、    ３２０ｖｍｂ：ブラシ部材本体、    ３２０ｖｍｐ：係合凸部、    ３２０ｖｓ：回転軸、    ３２０ｚ：伸縮ノズル、    ３２０ｚｐ：係止凸部
【図１】
2014136016.tif 000003
【図２】
2014136016.tif 000004
【図３】
2014136016.tif 000005
【図４】
2014136016.tif 000006
【図５】
2014136016.tif 000007
【図６】
2014136016.tif 000008
【図７】
2014136016.tif 000009
【図８】
2014136016.tif 000010
【図９】
2014136016.tif 000011
【図１０】
2014136016.tif 000012
【図１１】
2014136016.tif 000013
【図１２】
2014136016.tif 000014
【図１３】
2014136016.tif 000015
【図１４】
2014136016.tif 000016
【図１５】
2014136016.tif 000017
【図１６】
2014136016.tif 000018
【図１７】
2014136016.tif 000019
【図１８】
2014136016.tif 000020
【図１９】
2014136016.tif 000021
【図２０】
2014136016.tif 000022
【図２１】
2014136016.tif 000023
【図２２】
2014136016.tif 000024
【図２３】
2014136016.tif 000025
【図２４】
2014136016.tif 000026
【図２５】
2014136016.tif 000027
【図２６】
2014136016.tif 000028
【図２７】
2014136016.tif 000029
【図２８】
2014136016.tif 000030
【図２９】
2014136016.tif 000031
【図３０】
2014136016.tif 000032
【図３１】
2014136016.tif 000033
【図３２】
2014136016.tif 000034
【図３３】
2014136016.tif 000035
【図３４】
2014136016.tif 000036
【図３５】
2014136016.tif 000037
【図３６】
2014136016.tif 000038
【図３７】
2014136016.tif 000039
【図３８】
2014136016.tif 000040